(57)【特許請求の範囲】
【請求項１】
被写体を撮影するための第１カメラ部と、
撮影者又は前記撮影者が所持する物を撮影するための第２カメラ部と、
起動指示に応じて、撮影を開始し、静止画像データを順次に生成するように前記第２カメラ部を制御する起動制御部と、
撮影開始指示に応じて、前記静止画像データである今回の静止画像データと前回の静止画像データとを比較する動作認識処理部と、
前記今回の静止画像データが前記前回の静止画像データに対して変化した場合、前記被写体を撮影して撮影データを生成するように前記第１カメラ部を制御する撮影制御部と
を具備し、
前記動作認識処理部は、撮影開始指示に応じて、
前記今回の静止画像データが表す画像の輝度値と前記前回の静止画像データが表す画像の輝度値との差分を示す差分輝度値を算出し、
前記差分輝度値と設定輝度値とを比較し、
前記撮影制御部は、
前記差分輝度値が前記設定輝度値を超えた場合、前記被写体を撮影して前記撮影データを生成するように前記第１カメラ部を制御する
携帯通信装置。
【請求項２】
前記今回の静止画像データと前記前回の静止画像データとの一方の静止画像データが表す画像には、前記撮影者又は前記物が写されていて、
前記今回の静止画像データと前記前回の静止画像データとの他方の静止画像データが表す画像には、前記撮影者又は前記物が写されていない
請求項１に記載の携帯通信装置。
【請求項３】
被写体を撮影するための第１カメラ部と、
撮影者又は前記撮影者が所持する物を撮影するための第２カメラ部と、
起動指示に応じて、撮影を開始し、静止画像データを順次に生成するように前記第２カメラ部を制御する起動制御部と、
撮影開始指示に応じて、前記静止画像データである今回の静止画像データと前回の静止画像データとを比較する動作認識処理部と、
前記今回の静止画像データが前記前回の静止画像データに対して変化した場合、前記被写体を撮影して撮影データを生成するように前記第１カメラ部を制御する撮影制御部と
を具備し、
前記動作認識処理部は、撮影開始指示に応じて、
前記今回の静止画像データが表す画像と前記前回の静止画像データが表す画像との変更部分である画素数又は面積を示す変更値を算出し、
前記変更値と設定値とを比較し、
前記撮影制御部は、
前記変更値が前記設定値を超えた場合、前記被写体を撮影して前記撮影データを生成するように前記第１カメラ部を制御し、
前記今回の静止画像データと前記前回の静止画像データとの一方の静止画像データが表す画像には、前記撮影者又は前記物が写されていて、
前記今回の静止画像データと前記前回の静止画像データとの他方の静止画像データが表す画像には、前記撮影者又は前記物が写されていない
携帯通信装置。
【請求項４】
表示部
を更に具備し、
前記起動制御部は、前記起動指示に応じて、
撮影を開始し、前記被写体の画像を表す動画像データであるプレビュー映像データを生成するように前記第１カメラ部を制御し、前記プレビュー映像データを前記表示部の第１表示領域に表示し、
撮影を開始し、前記静止画像データを順次に生成するように前記第２カメラ部を制御し、前記静止画像データを順次に前記表示部の第２表示領域に表示する
請求項１〜３のいずれかに記載の携帯通信装置。
【請求項５】
前記第２表示領域は、前記第１表示領域より小さい
請求項４に記載の携帯通信装置。
【請求項６】
前記撮影データを保存する記憶装置
を更に具備する請求項１〜５のいずれかに記載の携帯通信装置。
【請求項７】
被写体を撮影するための第１カメラ部と、撮影者又は前記撮影者が所持する物を撮影するための第２カメラ部とが設けられた携帯通信装置が実行する撮影方法であって、
（ａ） 起動指示に応じて、撮影を開始し、静止画像データを順次に生成するように前記第２カメラ部を制御するステップと、
（ｂ） 撮影開始指示に応じて、前記静止画像データである今回の静止画像データと前回の静止画像データとを比較するステップと、
（ｃ） 前記今回の静止画像データが前記前回の静止画像データに対して変化した場合、前記被写体を撮影して撮影データを生成するように前記第１カメラ部を制御するステップと
を具備し、
前記（ｂ）のステップは、撮影開始指示に応じて、
前記今回の静止画像データが表す画像の輝度値と前記前回の静止画像データが表す画像の輝度値との差分を示す差分輝度値を算出し、
前記差分輝度値と設定輝度値とを比較し、
前記（ｃ）のステップは、
前記差分輝度値が前記設定輝度値を超えた場合、前記被写体を撮影して前記撮影データを生成するように前記第１カメラ部を制御する
撮影方法。
【請求項８】
前記今回の静止画像データと前記前回の静止画像データとの一方の静止画像データが表す画像には、前記撮影者又は前記物が写されていて、
前記今回の静止画像データと前記前回の静止画像データとの他方の静止画像データが表す画像には、前記撮影者又は前記物が写されていない
請求項７に記載の撮影方法。
【請求項９】
被写体を撮影するための第１カメラ部と、撮影者又は前記撮影者が所持する物を撮影するための第２カメラ部とが設けられた携帯通信装置が実行する撮影方法であって、
（ａ） 起動指示に応じて、撮影を開始し、静止画像データを順次に生成するように前記第２カメラ部を制御するステップと、
（ｂ） 撮影開始指示に応じて、前記静止画像データである今回の静止画像データと前回の静止画像データとを比較するステップと、
（ｃ） 前記今回の静止画像データが前記前回の静止画像データに対して変化した場合、前記被写体を撮影して撮影データを生成するように前記第１カメラ部を制御するステップと
を具備し、
前記（ｂ）のステップは、撮影開始指示に応じて、
前記今回の静止画像データが表す画像と前記前回の静止画像データが表す画像との変更部分である画素数又は面積を示す変更値を算出し、
前記変更値と設定値とを比較し、
前記（ｃ）のステップは、
前記変更値が前記設定値を超えた場合、前記被写体を撮影して前記撮影データを生成するように前記第１カメラ部を制御し、
前記今回の静止画像データと前記前回の静止画像データとの一方の静止画像データが表す画像には、前記撮影者又は前記物が写されていて、
前記今回の静止画像データと前記前回の静止画像データとの他方の静止画像データが表す画像には、前記撮影者又は前記物が写されていない
撮影方法。
【請求項１０】
前記携帯通信装置には表示部が設けられ、
前記（ａ）のステップは、前記起動指示に応じて、
撮影を開始し、前記被写体の画像を表す動画像データであるプレビュー映像データを生成するように前記第１カメラ部を制御し、前記プレビュー映像データを前記表示部の第１表示領域に表示し、
撮影を開始し、前記静止画像データを順次に生成するように前記第２カメラ部を制御し、前記静止画像データを順次に前記表示部の第２表示領域に表示する
請求項７〜９のいずれかに記載の撮影方法。
【請求項１１】
前記第２表示領域は、前記第１表示領域より小さい
請求項１０に記載の撮影方法。
【請求項１２】
前記携帯通信装置には記憶装置が設けられ、
前記撮影データを前記記憶装置に保存するステップ
を更に具備する請求項７〜１１のいずれかに記載の撮影方法。
【請求項１３】
請求項７〜１２のいずれかに記載の撮影方法の各ステップをコンピュータである携帯通信装置に実行させるコンピュータプログラムが記憶され、前記コンピュータプログラムを前記コンピュータが読み取り可能な記録媒体。
【発明の詳細な説明】
【技術分野】
【０００１】
本発明は、カメラ機能が設けられた携帯通信装置に関する。
【背景技術】
【０００２】
携帯通信装置として、例えば携帯電話端末が普及している。近年では、携帯電話端末の小型・軽量化が進んでいる。また、携帯電話端末にカメラ（カメラ機能）が設けられているタイプが増えてきている。【０００３】
しかし、携帯電話端末は、カメラ専用ではないため、カメラ機能により被写体の撮影を行う場合、通常のカメラに比べて安定性がよくない場合が多い。例えば、携帯電話端末では、撮影者がカメラ機能により被写体の撮影を行うときにシャッターボタン（撮影ボタン）を押下する。このとき、撮影者の押下の仕方や技量によって、撮影者が撮影ボタンを押下したときに携帯電話端末が所望の位置からぶれてしまう（手振れを起こしてしまう）。その結果、カメラ機能により撮影された画像に“ぶれ”が生じてしまう。【０００４】
手振れを防ぐため、リモートコントロール装置（以下、リモコン装置と称する）で撮影操作を行うことも考えられるが、撮影者は携帯電話端末とは別にリモコン装置も携帯する必要があり、利便性の点で課題がある。また、携帯電話端末が撮影者の音声を認識して撮影契機とすることも考えられるが、声を発せない場所での撮影に課題がある。【０００５】
携帯通信装置に関する技術を紹介する。【０００６】
特開２００８−２２７６７２号公報には、キーに触らなくても、ディスプレイの省電力状態を解除することが可能となる携帯端末が記載されている。【０００７】
特開２００５−２５０３９６号公報には、一対の撮像部の視差調節、及び焦点調節ができ、立体画像の撮像を可能とするカメラ付き携帯端末が記載されている。【０００８】
特開２００３−２７４３７６号公報には、１つのカメラを使ってテレビ電話として使用しているときに、新たに他のカメラを並行して使用する携帯通信装置が記載されている。
【先行技術文献】
【特許文献】
【０００９】
【特許文献１】特開２００８−２２７６７２号公報
【特許文献２】特開２００５−２５０３９６号公報
【特許文献３】特開２００３−２７４３７６号公報
【発明の概要】
【００１０】
本発明の課題は、カメラ機能により被写体の撮影を行うときに手振れを防止することができる携帯通信装置を提供することにある。
【００１１】
本発明の携帯通信装置は、被写体を撮影するための第１カメラ部と、撮影者又は撮影者が所持する物を撮影するための第２カメラ部と、起動制御部と、動作認識処理部と、撮影制御部とを具備している。起動制御部は、起動指示に応じて、撮影を開始し、静止画像データを順次に生成するように第２カメラ部を制御する。動作認識処理部は、撮影開始指示に応じて、静止画像データである今回の静止画像データと前回の静止画像データとを比較する。撮影制御部は、今回の静止画像データが前回の静止画像データに対して変化した場合、被写体を撮影して撮影データを生成するように第１カメラ部を制御する。
【００１２】
本発明の携帯通信装置では、カメラ機能（第１カメラ部）により被写体の撮影を行うときに、第２カメラ部により撮影された画像の変化を撮影契機としている。これにより、撮影者が携帯通信装置を置いたまま撮影が行えるため、手振れを防止することができる。
【図面の簡単な説明】
【００１３】
上記発明の目的、効果、特徴は、添付される図面と連携して実施の形態の記述から、より明らかになる。【００１４】
【図１】図１は、本発明の第１〜３実施形態による携帯通信装置として、携帯電話端末１１の構成を示している。
【図２Ａ】図２Ａは、携帯電話端末１１の正面斜視図を示している。
【図２Ｂ】図２Ｂは、携帯電話端末１１の背面斜視図を示している。
【図３】図３は、携帯電話端末１１の動作を示すフローチャートである。
【発明を実施するための形態】
【００１５】
以下に添付図面を参照して、本発明の実施形態による携帯通信装置について詳細に説明する。
【００１６】
（第１実施形態）
本発明の実施形態による携帯通信装置として、携帯電話端末、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔｓ：個人向け携帯型情報通信機器）などが挙げられる。以下、携帯電話端末を例にして説明する。
【００１７】
図１は、本発明の第１実施形態による携帯電話端末１１の構成を示している。
【００１８】
本発明の第１実施形態による携帯電話端末１１は、ＣＰＵ（Ｃｅｎｔｒａｌ  Ｐｒｏｃｅｓｓｉｎｇ  Ｕｎｉｔ）１２と、バス１３と、ＲＯＭ（Ｒｅａｄ  Ｏｎｌｙ  Ｍｅｍｏｒｙ）１４と、ＲＡＭ（Ｒａｎｄｏｍ  Ａｃｃｅｓｓ  Ｍｅｍｏｒｙ）１５と、第１カメラ部１６と、第２カメラ部１７と、表示部１８と、動作認識処理部１９と、記憶装置２０とを具備している。
【００１９】
ＣＰＵ１２は、バス１３を介して、ＲＯＭ１４、ＲＡＭ１５、第１カメラ部１６、第２カメラ部１７、表示部１８、動作認識処理部１９、記憶装置２０と接続されている。
【００２０】
ＲＯＭ１４には、ＣＰＵ１２が実行するための各種のコンピュータプログラムである制御用プログラムや携帯電話端末１１内で使用する固定的なデータが格納されている。
【００２１】
ＲＡＭ１５には、ＣＰＵ１２がプログラムを実行する上で一時的に必要とされるデータが格納される。
【００２２】
第１カメラ部１６は、被写体を撮影するために使用される。
【００２３】
第２カメラ部１７は、撮影者又は撮影者が所持する物を撮影するために使用される。
【００２４】
表示部１８は、ＣＰＵ１２の実行結果（例えば、操作メニュー）や第１カメラ部１６、第２カメラ部１７により撮影された画像など、操作者への情報を表示する。
【００２５】
動作認識処理部１９は、第２カメラ部１７により撮影された画像を入力し、その画像により動作の変化を検出する。
【００２６】
記録装置２０は、第１カメラ部１６により撮影された画像を保存する。
【００２７】
ＲＯＭ１４に格納された制御用プログラムは、カメラ撮影用プログラムを含んでいる。このカメラ撮影用プログラムは、起動制御部２１、撮影制御部２２を含んでいる。ここで、動作認識処理部１９は、回路（装置）で実現してもよいし、コンピュータプログラム（カメラ撮影用プログラム）で実現してもよい。
【００２８】
図２Ａは、携帯電話端末１１の正面斜視図を示し、図２Ｂは、携帯電話端末１１の背面斜視図を示している。
【００２９】
携帯電話端末１１は、更に、利用者（撮影者）が操作するための入力部２３と、筐体２４とを具備している。筐体２４の正面には、第２カメラ部１７、表示部１８、入力部２３が設けられている。筐体２４の背面には、第１カメラ部１６が設けられている。ＣＰＵ１２、バス１３、ＲＯＭ１４、ＲＡＭ１５、動作認識処理部１９、記憶装置２０は、筐体２４内に設けられている。
【００３０】
図３は、携帯電話端末１１の動作を示すフローチャートである。
【００３１】
撮影者は、第１カメラ部１６（携帯電話端末１１の正面）を被写体に向ける。このとき、撮影者は、入力部２３を操作して、カメラ撮影用プログラム（カメラ撮影アプリケーション）を起動させるための起動指示を携帯電話端末１１に与える（ステップＳ３０）。
【００３２】
起動制御部２１は、起動指示に応じて、第１カメラ部１６を起動する。このとき、起動制御部２１は、撮影を開始し、被写体の画像を表す動画像データであるプレビュー映像データを生成するように第１カメラ部１６を制御し、プレビュー映像データを表示部１８の第１表示領域に表示する（ステップＳ３１）。
【００３３】
また、起動制御部２１は、起動指示に応じて、第２カメラ部１７を起動する。このとき、起動制御部２１は、撮影を開始し、静止画像データを順次に生成するように第２カメラ部１７を制御し、静止画像データを順次に表示部１８の第２表示領域に表示する（ステップＳ３２）。
【００３４】
ステップＳ３２において、表示部１８の第１、２表示領域は、四角形であり、第２表示領域は、第１表示領域より小さい。例えば、第２表示領域は、第１表示領域の角（隅）に小さな枠により設けられ、プレビュー映像データが表す画像を大きく妨げないように表示される。
【００３５】
撮影者は、入力部２３を操作して、カメラ撮影アプリケーションの起動中に撮影開始指示を携帯電話端末１１に与える（ステップＳ３３）。
【００３６】
このとき、動作認識処理部１９は、撮影開始指示に応じて、第２カメラ部１７により生成された静止画像データを順次に入力する（ステップＳ３４）。
【００３７】
動作認識処理部１９は、上記の静止画像データである今回の静止画像データと前回の静止画像データとを比較し、今回の静止画像データが前回の静止画像データに対して変化しているか否かを判断する（ステップＳ３５）。
【００３８】
ステップＳ３５において、変化の判断方法として、例えば、動作認識処理部１９は、撮影開始指示に応じて、今回の静止画像データが表す画像の輝度値と前回の静止画像データが表す画像の輝度値との差分を示す差分輝度値を算出し、算出輝度値と設定輝度値とを比較する。
【００３９】
ここで、算出輝度値が設定輝度値を超えない場合（ステップＳ３５−ＮＯ）、動作認識処理部１９は、今回の静止画像データが前回の静止画像データに対して変化していないと判断し、ステップＳ３４を実行する。
【００４０】
一方、算出輝度値が設定輝度値を超えた場合（ステップＳ３５−ＹＥＳ）、動作認識処理部１９は、今回の静止画像データが前回の静止画像データに対して変化したと判断し、動作検出信号を出力する。
【００４１】
ステップＳ３５−ＹＥＳにおいて、例えば、撮影者が自身の指又は物を第２カメラ１７の前で横切る程度の動作を行うことにより、動作認識処理部１９が今回の静止画像データが前回の静止画像データに対して変化したと判断する。この場合、今回の静止画像データと前回の静止画像データとの一方の静止画像データが表す画像には、撮影者又は物が写されていて、今回の静止画像データと前回の静止画像データとの他方の静止画像データが表す画像には、撮影者又は物が写されていない。
【００４２】
撮影制御部２２は、動作検出信号に応じて、被写体を撮影して撮影データを生成するように第１カメラ部１６を制御し、その撮影データを記憶装置２０に保存する（ステップＳ３６）。
【００４３】
本発明の第１実施形態による携帯電話端末１１では、カメラ機能（第１カメラ部１６）により被写体の撮影を行うときに、第２カメラ部１７により撮影された画像の変化を撮影契機としている。これにより、撮影者が携帯電話端末１１を置いたまま撮影が行えるため、手振れを防止することができる。
【００４４】
また、本発明の第１実施形態による携帯電話端末１１では、第２カメラ部１７により撮影された画像が表示部１８の片隅（第２表示領域）に表示されるため、撮影者にとって撮影契機のタイミングを計りやすい。
【００４５】
（第２実施形態）
本発明の第１実施形態による携帯電話端末１１では、動作認識処理部１９は、今回の静止画像データと前回の静止画像データとを比較する際、輝度値の差分を示す差分輝度値を算出し、算出輝度値と設定輝度値とを比較しているが、これに限定されない。本発明の第２実施形態による携帯電話端末１１では、今回の静止画像データと前回の静止画像データとを比較する際、その変更部分である画素数又は面積を示す変更値を算出し、変更値と設定値とを比較してもよい。第２実施形態では、第１実施形態と重複する説明を省略する。
【００４６】
まず、ステップＳ３０〜Ｓ３４が実行される。
【００４７】
ステップＳ３５において、変化の判断方法として、例えば、動作認識処理部１９は、撮影開始指示に応じて、今回の静止画像データが表す画像と前回の静止画像データが表す画像との変更部分である画素数又は面積を示す変更値を算出し、変更値と設定値とを比較する。
【００４８】
ここで、変更値が設定値を超えない場合（ステップＳ３５−ＮＯ）、動作認識処理部１９は、今回の静止画像データが前回の静止画像データに対して変化していないと判断し、ステップＳ３４を実行する。
【００４９】
一方、変更値が設定値を超えた場合（ステップＳ３５−ＹＥＳ）、動作認識処理部１９は、今回の静止画像データが前回の静止画像データに対して変化したと判断し、動作検出信号を出力する。その後、ステップＳ３６が実行される。
【００５０】
本発明の第２実施形態による携帯電話端末１１では、第１実施形態と同じ効果である。
【００５１】
（第３実施形態）
本発明の第２実施形態による携帯電話端末１１では、撮影者が自身の指又は物を第２カメラ１７の前で横切る程度の動作を行った際に、動作認識処理部１９が今回の静止画像データが前回の静止画像データに対して変化したと判断するが、これに限定されない。本発明の第３実施形態による携帯電話端末１１では、撮影者が第２カメラ１７の前で表情を変えた際に、動作認識処理部１９が、顔認識により、今回の静止画像データが前回の静止画像データに対して変化したと判断してもよい。第３実施形態では、第１、２実施形態と重複する説明を省略する。
【００５２】
まず、ステップＳ３０〜Ｓ３４が実行される。
【００５３】
ステップＳ３５において、変化の判断方法として、例えば、動作認識処理部１９は、撮影開始指示に応じて、今回の静止画像データが表す画像と前回の静止画像データが表す画像との変更部分である画素数又は面積を示す変更値を算出し、変更値と設定値とを比較する。この場合、今回の静止画像データが表す画像と前回の静止画像データが表す画像には、撮影者の顔が写されていて、今回の静止画像データが表す画像と前回の静止画像データが表す画像との変更部分は、顔の表情である。
【００５４】
例えば、撮影者が真顔のままでいるとき、顔認識により変更値が設定値を超えないように、設定値を設定しておき、撮影者が真顔からウィンクや笑顔になったときに、顔認識により変更値が設定値を超えるように、設定値を設定しておく。
【００５５】
これにより、変更値が設定値を超えない場合（ステップＳ３５−ＮＯ）、動作認識処理部１９は、今回の静止画像データが前回の静止画像データに対して変化していないと判断し、ステップＳ３４を実行する。
【００５６】
一方、変更値が設定値を超えた場合（ステップＳ３５−ＹＥＳ）、動作認識処理部１９は、今回の静止画像データが前回の静止画像データに対して変化したと判断し、動作検出信号を出力する。その後、ステップＳ３６が実行される。
【００５７】
本発明の第３実施形態による携帯電話端末１１では、カメラ機能（第１カメラ部１６）により被写体の撮影を行うときに、第２カメラ部１７により撮影された画像の変化を、顔認識を用いて撮影契機としている。これにより、撮影者が両手で携帯電話端末１１を固定してより自然な体勢で撮影が可能となる。
【００５８】
以上、実施形態を参照して本発明を説明したが、本発明は上記実施形態に限定されるものではない。本発明の構成や詳細には、本発明のスコープ内で当業者が理解し得る様々な変更をすることができる。
【００５９】
この出願は、２００９年１１月２日に出願された特許出願番号２００９−２５２１５５号の日本特許出願に基づいており、その出願による優先権の利益を主張し、その出願の開示は、引用することにより、そっくりそのままここに組み込まれている。
【図１】
0005594485.tif 000002
【図２Ａ】
0005594485.tif 000003
【図２Ｂ】
0005594485.tif 000004
【図３】
0005594485.tif 000005